(57)【要約】【課題】非接触ＩＣカード機能を備えた携帯情報端末機器において、傾斜センサを内蔵させ、使用者が意図したタイミングでのみ非接触ＩＣカード機能が有効となるように動作を制限する。【解決手段】非接触ＩＣカード機能部２０を備えた携帯情報端末機器１において、傾斜センサ１６がこの端末機器の傾き角度を検出し、制御部１１は傾斜センサ１６の検出角度が所定範囲角度外のときに非接触ＩＣカード機能部２０による外部からの情報の読み取りを禁止する。【選択図】      図１
2007025957.tif 000002
【特許請求の範囲】
【請求項１】
非接触ＩＣカード機能を備えた携帯情報端末機器において、この端末機器の傾き角度を検出する傾斜センサを内蔵し、この傾斜センサの検出角度が所定範囲角度外のときに、前記非接触ＩＣカード機能による外部からの情報の読み取りを禁止することを特徴とする携帯情報端末機器。
【請求項２】
非接触ＩＣカード機能を備えた携帯情報端末機器において、
この端末機器の傾き角度を検出する傾斜センサと、
この傾斜センサの検出角度が所定範囲角度外のときに前記非接触ＩＣカード機能による外部からの情報の読み取りを禁止する制御手段と、
を備えたことを特徴とする携帯情報端末機器。
【請求項３】
非接触ＩＣカード機能を備えた携帯情報端末機器において、
この端末機器の傾き角度を検出する傾斜センサと、
この傾斜センサの検出角度が、所定範囲角度外のときに前記非接触ＩＣカード機能による外部からの情報の読み取りを禁止し、所定範囲角度内になったことを一旦検出したときはその後の所定時間は前記検出角度に拘わらず前記情報の読み取りを許可する制御手段と、
を備えたことを特徴とする携帯情報端末機器。
【請求項４】
前記傾斜センサが、前記携帯情報端末機器のＸ軸方向とＹ軸方向の各々の傾きを検出することを特徴とする請求項１乃至３の何れか１つに記載の携帯情報端末機器。
【請求項５】
操作入力により前記所定範囲角度を設定する操作部を更に備えたことを特徴とする請求項２又は３に記載の携帯情報端末機器。
【請求項６】
操作入力により前記所定時間を設定する操作部を更に備えたことを特徴とする請求項３記載の携帯情報端末機器。
【請求項７】
前記非接触ＩＣカード機能による外部からの情報の読み取りが禁止状態であるか許可状態であるかの区別を表示する表示手段を更に備えたことを特徴とする請求項２乃至６の何れか１つに記載の携帯情報端末機器。
【請求項８】
前記携帯情報端末機器が、携帯電話機能を備えたことを特徴とする請求項１乃至７の何れか１つに記載の携帯情報端末機器。
【請求項９】
非接触ＩＣカード機能を備えた携帯情報端末機器の制御方法において、
内蔵された傾斜センサにより前記携帯情報端末機器の傾き角度を検出し、
この傾斜センサの検出角度が所定範囲角度外であるときに、制御手段が前記非接触ＩＣカード機能による外部からの情報の読み取りを禁止する、
ことを特徴とする携帯情報端末機器の制御方法。
【請求項１０】
非接触ＩＣカード機能を備えた携帯情報端末機器の制御方法において、
内蔵された傾斜センサにより前記携帯情報端末機器の傾き角度を検出し、
この傾斜センサの検出角度が所定範囲角度外のときに制御手段は前記非接触ＩＣカード機能による外部からの情報の読み取りを禁止し、
前記制御手段は前記検出角度が所定範囲角度内になったことを一旦検出した後の所定時間は前記検出角度に拘わらず前記非接触ＩＣカード機能の情報の読み取りを許可する、
ことを特徴とする携帯情報端末機器の制御方法。
【請求項１１】
非接触ＩＣカード機能を備えた携帯情報端末機器が実行する制御方法であって、
内蔵された傾斜センサが検出した前記携帯情報端末機器の傾き角度を判定する第１の手順と、
前記検出角度が所定範囲角度外であるときに前記非接触ＩＣカード機能による外部からの情報の読み取りを禁止する第２の手順と、
を含むことを特徴とする携帯情報端末機器の制御方法。
【請求項１２】
非接触ＩＣカード機能を備えた携帯情報端末機器が実行する制御方法であって、
内蔵された傾斜センサが検出した前記携帯情報端末機器の傾き角度を判定する第１の手順と、
前記検出角度が所定範囲角度外であるときに前記非接触ＩＣカード機能による外部からの情報の読み取りを禁止する第２の手順と、
前記検出角度が所定範囲角度内になったことを一旦検出した後の所定時間は前記検出角度に拘わらず前記非接触ＩＣカード機能の情報の読み取りを許可する第３の手順と、
を含むことを特徴とする携帯情報端末機器の制御方法。
【請求項１３】
操作入力により前記所定範囲角度を設定する設定入力手順を、前記第１の手順の前に行うことを特徴とする請求項１１又は１２に記載の携帯情報端末機器の制御方法。
【請求項１４】
操作入力により前記所定時間を設定する設定入力手順を、少なくとも前記第３の手順より前に行うことを特徴とする請求項１２記載の携帯情報端末機器の制御方法。
【請求項１５】
前記非接触ＩＣカード機能による外部からの情報の読み取りが禁止状態であるか許可状態であるかの区別を表示する表示手順を更に備えたことを特徴とする請求項１１乃至１４の何れか１つに記載の携帯情報端末機器の制御方法。
【発明の詳細な説明】
【技術分野】
【０００１】
本発明は非接触ＩＣカード機能を搭載した携帯情報端末機器及びその制御方法に関し、特に、傾斜センサの検出結果により非接触ＩＣカード機能を制限する携帯情報端末機器及びその制御方法に関する。
【背景技術】
【０００２】
携帯電話端末機器やＰＤＡ（Ｐｅｒｓｏｎａｌ  Ｄｉｇｉｔａｌ  Ａｓｓｉｓｔａｎｃｅ）に代表される携帯情報端末機器において、非接触ＩＣカード機能が搭載される事が増えている。この機能は、文字通り非接触にて外部のＩＣカード読取／書込装置と微弱電波によりデータ通信できる事を利点とする。これにより店舗、自動販売機、改札等に設けられた読取／書込装置により必要な情報を送受信して、電子マネー、電子チケット、乗車券精算等の様々なサービスを受けることが出来る。
【０００３】
このような非接触ＩＣカード機能を搭載した携帯情報端末機器では、紛失時など所有者が意図しない使用を防止する為に、例えば、下記特許文献１では、暗証番号による非接触ＩＣカードのロック機能が開示されている。
【０００４】
又、携帯電話端末機器に関する別の先行技術として、内蔵カメラの撮影機能を規制するために傾きセンサが内蔵され、その検出角度が撮像禁止範囲にある場合にはシャッター操作が無効化される携帯電話端末機器が下記特許文献２で開示されている。
【０００５】
【特許文献１】特開２００３−１６３９８号公報（第３−６頁、図１）
【特許文献２】特開２００２−２９０８１８号公報（第３−４頁、図１、４）
【発明の開示】
【発明が解決しようとする課題】
【０００６】
上述したような非接触ＩＣカード機能を備えた携帯情報端末機器では、満員電車などで読取装置を洋服越しに押し付けられ、上着の胸ポケットやズボンのポケット等に入れておいた携帯情報端末機器内の情報を非接触通信機能により盗み取られると言った不安がある。そのような不安を解消する為に、特許文献１に記載されているようなロック機能を利用することが考えられる。しかしながら、このようなロック機能は、解除する為に暗証番号の入力操作を必要とするものであり、非接触ＩＣカード機能を使う前に必ず煩わしい操作が必要となり利便性が低下する問題点がある。又、特許文献２記載の傾きセンサは、非接触ＩＣカード機能の制御とは関係がないので、このような問題点を解決出来ない。
【０００７】
本発明の目的は、このような従来の課題を解決した非接触ＩＣカード機能を搭載した携帯情報端末機器及びその制御方法を提供することにある。
【課題を解決するための手段】
【０００８】
本発明の第１の携帯情報端末機器は、非接触ＩＣカード機能を備えた携帯情報端末機器において、この端末機器の傾き角度を検出する傾斜センサを内蔵し、この傾斜センサの検出角度が所定範囲角度外のときに、前記非接触ＩＣカード機能による外部からの情報の読み取りを禁止することを特徴とする。
【０００９】
本発明の第２の携帯情報端末機器は、非接触ＩＣカード機能を備えた携帯情報端末機器において、この端末機器の傾き角度を検出する傾斜センサと、この傾斜センサの検出角度が所定範囲角度外のときに前記非接触ＩＣカード機能による外部からの情報の読み取りを禁止する制御手段と、を備えたことを特徴とする。
【００１０】
本発明の第３の携帯情報端末機器は、非接触ＩＣカード機能を備えた携帯情報端末機器において、この端末機器の傾き角度を検出する傾斜センサと、この傾斜センサの検出角度が、所定範囲角度外のときに前記非接触ＩＣカード機能による外部からの情報の読み取りを禁止し、所定範囲角度内になったことを一旦検出したときはその後の所定時間は前記検出角度に拘わらず前記情報の読み取りを許可する制御手段と、を備えたことを特徴とする。
【００１１】
又、本発明の携帯情報端末機器において、前記傾斜センサが、前記携帯情報端末機器のＸ軸方向とＹ軸方向の各々の傾きを検出するようにしてもよい。
【００１２】
又、本発明の携帯情報端末機器は、キー入力により前記所定範囲角度を設定する操作部を更に備えてもよい。
【００１３】
又、本発明の携帯情報端末機器は、キー入力により前記所定時間を設定する操作部を更に備えてもよい。
【００１４】
又、本発明の携帯情報端末機器は、前記非接触ＩＣカード機能による外部からの情報の読み取りが禁止状態であるか許可状態であるかの区別を表示する表示手段を更に備えてもよい。
【００１５】
又、本発明の携帯情報端末機器は、携帯電話機能を備えていてもよい。
【００１６】
本発明の第１の制御方法は、非接触ＩＣカード機能を備えた携帯情報端末機器の制御方法において、内蔵された傾斜センサにより前記携帯情報端末機器の傾き角度を検出し、この傾斜センサの検出角度が所定範囲角度外であるときに、制御手段が前記非接触ＩＣカード機能による外部からの情報の読み取りを禁止する、ことを特徴とする。
【００１７】
本発明の第２の制御方法は、非接触ＩＣカード機能を備えた携帯情報端末機器の制御方法において、内蔵された傾斜センサにより前記携帯情報端末機器の傾き角度を検出し、この傾斜センサの検出角度が所定範囲角度外のときに制御手段は前記非接触ＩＣカード機能による外部からの情報の読み取りを禁止し、前記制御手段は前記検出角度が所定範囲角度内になったことを一旦検出した後の所定時間は前記検出角度に拘わらず前記非接触ＩＣカード機能の情報の読み取りを許可する、ことを特徴とする。
【００１８】
本発明の第３の制御方法は、非接触ＩＣカード機能を備えた携帯情報端末機器が実行する制御方法であって、内蔵された傾斜センサが検出した前記携帯情報端末機器の傾き角度を判定する第１の手順と、前記検出角度が所定範囲角度外であるときに前記非接触ＩＣカード機能による外部からの情報の読み取りを禁止する第２の手順と、を含むことを特徴とする。
【００１９】
本発明の第４の制御方法は、非接触ＩＣカード機能を備えた携帯情報端末機器が実行する制御方法であって、内蔵された傾斜センサが検出した前記携帯情報端末機器の傾き角度を判定する第１の手順と、前記検出角度が所定範囲角度外であるときに前記非接触ＩＣカード機能による外部からの情報の読み取りを禁止する第２の手順と、前記検出角度が所定範囲角度内になったことを一旦検出した後の所定時間は前記検出角度に拘わらず前記非接触ＩＣカード機能の情報の読み取りを許可する第３の手順と、を含むことを特徴とする。
【００２０】
又、本発明の携帯情報端末機器の制御方法においては、キー操作入力により前記所定範囲角度を設定する設定入力手順を、前記第１の手順の前に行ってもよい。
【００２１】
又、本発明の携帯情報端末機器の制御方法においては、キー操作入力により前記所定時間を設定する設定入力手順を、少なくとも前記第３の手順より前に行ってもよい。
【００２２】
又、本発明の携帯情報端末機器の制御方法においては、前記非接触ＩＣカード機能による外部からの情報の読み取りが禁止状態であるか許可状態であるかの区別を表示する表示手順を更に備えてもよい。
【発明の効果】
【００２３】
本発明によれば、傾斜センサの検出角度を判断して非接触ＩＣカード機能の外部からの読み取りを禁止、許可することにより、使用者の意図しないタイミングでの非接触ＩＣカードの読み取りの危険性を大幅に軽減する事ができる。
【発明を実施するための最良の形態】
【００２４】
次に、本発明を実施するための最良の形態について図面を参照して詳細に説明する。図１は本発明の第一実施形態を示すブロック図である。図１を参照すると、本発明の第一実施形態である携帯情報端末機器１は、携帯情報端末機能部１０と非接触ＩＣカード機能部２０とを備えている。
【００２５】
携帯情報端末機能部１０は、ＰＤＡのような携帯情報端末機器としての主な機能を実現するものであり、制御部１１と、メモリ部１２と、バッテリ部１３と、表示部１４と、操作部１５と、傾斜センサ１６とを備えている。制御部１１は、各部を制御し携帯情報機能部１０の動作を司る。メモリ部１２は、制御部１１が使用する各種プログラムやデータを記憶する。バッテリ部１３は、携帯情報端末機器１に電源を供給するものであり、充電式でも交換式でも良い。
【００２６】
表示部１４は、ＬＣＤ等のディスプレイであり、携帯情報端末機器として各種情報の表示を行う。操作部１５は、ユーザーが操作して情報／データを入力するための装置で、一般的なキースイッチ群や簡易化されたボタン群、ポインティングデバイス等のいずれか或いはそれらが複合されたもので良い。傾斜センサ１６は、携帯情報端末機器１が水平面からどの程度傾斜しているかを検出する装置であり、制御部１１に接続されている。
【００２７】
非接触ＩＣカード機能部２０は、制御部２１とアンテナ部２２とを備えている。制御部２１は非接触ＩＣカードとしての機能を実現する。アンテナ部２２は、外部の読取／書込装置と微弱電波によりデータを送受信する。
【００２８】
携帯情報端末機器１の外観について、図２（ａ）に正面を、図２（ｂ）に裏面を示す。又、使用状態の一例について図３に示す。図２（ａ）には、表示部１４と操作部１５が示されている。アンテナ部２２は図２（ｂ）に示す位置に内蔵されている。通常は、図３に例示するように、携帯情報端末機器１の裏面を非接触ＩＣカード読取／書込装置１００の上部に設けられた読取／書込部１０１にかざすことによりＩＣカードのデータの送受信を行い、各種サービスの提供を受ける。従って、携帯情報端末機器１をほぼ水平状態に保ったまま読取／書込部１０１にかざすことになる。
【００２９】
図４により本発明の第一実施形態の動作を説明する。携帯情報端末機器１において、携帯情報端末機能部１０の制御部１１は、傾斜センサ１６の検知出力を監視している。この検知出力により携帯情報端末機器１が水平状態にないことを検出すると（Ｓ１のＮＯ）、制御部１１から非接触ＩＣカード機能部２０の制御部２１への指示により非接触ＩＣカード機能は無効状態（ロック状態）とされている（Ｓ３）。これにより、アンテナ部２２を介しての外部とのデータ送受信／読取／書込が禁止される。携帯情報端末機器１を図３のように読取／書込部１０１にかざすべくほぼ水平状態にすると、これを傾斜センサ１６が検出し（Ｓ１のＹＥＳ）、制御部１１から非接触ＩＣカード機能部２０の制御部２１への指示により非接触ＩＣカード機能が有効状態（ロック解除）となる（Ｓ２）。
【００３０】
本実施形態の傾斜センサ１６は、図５に示すようにＸ軸、Ｙ軸の各々の方向において、水平面を０°（度）とし、地面（水平面）に対する傾きを検出できる。図４のステップＳ１では、Ｘ軸で＋３０°（度）〜−３０°（度）及びＹ軸で＋３０°（度）〜−３０°（度）の範囲に携帯情報端末機器１が保持されているときに水平状態にあると判断される。即ち、使用者が正規の読取／書込装置へのアクセスを意図していると判断する。Ｘ軸の範囲内の傾斜のイメージを図６（ａ）に、Ｙ軸の範囲内の傾斜のイメージを図６（ｂ）に各々示す。それ以外の角度では水平状態にない、即ち、外部とのアクセスを意図していないと判断され、非接触ＩＣカード機能は無効（ロック状態）にされる。
【００３１】
このように、本実施形態の携帯情報端末機器では、傾斜センサを使用して非接触ＩＣカード機能の有効と無効を切り替える事により、使用者の意図しないタイミングでの非接触ＩＣカードの読み取りの危険性を大幅に軽減する事ができる。検出角度で判定しているので、カバンの中などで携帯情報端末が水平な状態になっている場合は、ロックが解除されることになるが、その場合はカバンの真下や真上から読取装置を押し付ける必要があるので、盗み読みの危険性は衣服のポケットよりは極めて低いと考えられる。又、本発明によるロック機能を第１の動作モード、暗証番号による公知のロック機能を第２の動作モードとして使用者の操作で動作モード切替可能とし、衣服のポケットに入れるとき（即ち、すぐ手に取って使用することが予想されるとき）は第１動作モードにし、それ以外のとき（手元から離しカバンに入れる等）は第２動作モードに切り替えられるようにしても良い。
【００３２】
次に、図７を参照して、本発明を携帯電話に適用した第二実施形態を説明する。本発明の第二実施形態である携帯情報端末機器２は、携帯情報端末機能部３０と非接触ＩＣカード機能部４０とを備えている。
【００３３】
携帯情報端末機能部３０は即ち携帯電話機能部であり、携帯電話端末機器としての主な機能を実現するものであり、制御部３１と、メモリ部３２と、バッテリ部３３と、表示部３４と、操作部３５と、傾斜センサ３６と、無線部３７と、音声処理部３８と、スピーカ及びマイクを備えている。制御部３１は、各部を制御し携帯電話機能部３０の動作を司る。メモリ部３２は、制御部１１が使用する各種プログラムやデータを記憶する。バッテリ部３３は、携帯情報端末機器２に電源を供給するものであり、充電式でも交換式でも良い。
【００３４】
表示部３４は、ＬＣＤ等のディスプレイであり、携帯情報端末機器として各種情報の表示を行う。操作部３５は、情報をユーザーが操作して入力するための装置で、一般的なキースイッチ群や簡易化されたボタン群、ポインティングデバイス等のいずれか或いはそれらが複合されたもので良い。傾斜センサ３６は、携帯情報端末機器２が水平面からどの程度傾斜しているかを検出する装置であり、制御部３１に接続されている。無線部３７は、無線アンテナにより無線基地局と通信するための無線機能を有している。制御部３１の制御の元に無線基地局と送受信された音声データは音声処理部３８にて変換され、利用者はスピーカとマイクを使用して通話が出来る。
【００３５】
非接触ＩＣカード機能部４０は、制御部４１とアンテナ部４２とを備えている。制御部４１は非接触ＩＣカードとしての機能を実現する。アンテナ部４２は、外部の読取／書込装置と微弱電波によりデータを送受信する。
【００３６】
本実施形態においても、傾斜センサ３６、その検出結果に基づく制御部３１の制御動作に関しては、図４に示したものと同じである。このように、本発明は携帯電話端末にも適用することが出来る。
【００３７】
次に、本発明の第三実施形態を説明する。図１や図７に示した実施形態では、店頭端末等の外部装置の非接触ＩＣカードの読取／書込部が地面に対して垂直に設置されている場合には、ロック状態になるため非接触ＩＣカード機能は使用出来ない。例として、図８に非接触ＩＣカードの読取／書込機能を備えた飲料自動販売機２００を示す。非接触ＩＣカードの読取／書込部２０１は販売機２００の前面にあるため、非接触ＩＣカードを読み取らせようとすると水平にはならない。
【００３８】
本発明の第三実施形態においては、その内部ブロック構成は図１や図７と同じであるが、その制御動作が異なり、傾斜センサにて水平状態を検出した後に所定時間（例えば、５秒間）、傾斜センサの角度検出結果に拘わらず非接触ＩＣカード機能を有効にする。この動作を図９に示す。
【００３９】
携帯情報端末機器１内蔵の非接触ＩＣカード機能が使われていない時は、図９のステップＳ１１に示すロック状態からスタートし、水平状態が検知されるのを待つ。使用者が携帯情報端末機器１を一旦水平状態にして傾斜センサ１６がこれを検知すると（Ｓ１２）、非接触ＩＣカード機能が有効状態に制御される（Ｓ１３）。このとき、非接触ＩＣカード機能のロックが解除された事が表示部１４に表示される（Ｓ１４）。この非接触ＩＣカード機能の有効状態（ロック解除状態）はその後の傾斜センサ１６の角度検出に拘わらず５秒間保持される。５秒経過すると（Ｓ１５）、非接触ＩＣカード機能が再びロック状態となった事を表示部１４に表示し（Ｓ１６）、非接触ＩＣカード機能が無効（ロック状態）に制御される（Ｓ１７）。
【００４０】
これにより使用者は、非接触ＩＣカードを使用する直前に携帯情報端末機器を一瞬水平状態で保持して、５秒以内に読取／書込装置にかざせば、図８に例示した様な、読取／書込部２０１が地面に対して水平でない店頭端末機器に対しても、非接触ＩＣカード機能を使用してサービスを受ける事ができる。
【００４１】
また、表示部１４、３４に非接触ＩＣカード機能のロック状態／ロック解除状態の区別を表示する事により今どの状態にあるかを瞬時に判断でき利便性が向上する。即ち、携帯情報端末機器を水平にしてから読取／書込装置にかざすまでに５秒以上経過した場合でも、非接触ＩＣカード機能が無効（ロック状態）となっている事を使用者はすぐさま認知でき、再度携帯情報端末機器を水平にしてロックを解除する事が出来る。
【００４２】
尚、本発明は上述の実施形態のみに限定されるものではない。例えば、各実施形態では、水平検知の許容角度をＸ、Ｙ軸方向各々において水平から３０°（度）の範囲内としたが、必ずしもこれに限定されるものではない。例えば、操作部１５、３５からの操作入力により、傾斜センサ１６、３６の水平許容範囲角度を設定して変更出来るようにしても良い。
【００４３】
又、第三実施形態におけるロック解除を継続する所定時間を５秒で説明したが、５秒に限定されず適宜変更出来る。利用者が操作部１５、３５から任意の秒数を設定入力するようにしても良い。
【００４４】
又、第一、二実施形態においても、第三実施形態と同様に、非接触ＩＣカード機能のロック状態／ロック解除状態の区別を表示部１４、３４に表示するようにしても良い。
【図面の簡単な説明】
【００４５】
【図１】本発明の第一実施形態を示すブロック図である。
【図２】図１の携帯情報端末機器の外観を示し、（ａ）は正面を示す図、（ｂ）は裏面を示す図である。
【図３】図１の携帯情報端末機器の使用状態の一例を示す図である。
【図４】本発明の第一実施形態の動作を説明するフローチャートである。
【図５】本発明の第一実施形態における傾斜センサの動作を説明する図である。
【図６】本発明の第一実施形態における傾斜状態の例を示し、（ａ）はＸ軸方向の傾斜、（ｂ）はＹ軸方向の傾斜を示す図である。
【図７】本発明の第二実施形態を示すブロック図である。
【図８】本発明の第二実施形態を使用する自動販売機の一例を示す外観図である。
【図９】本発明の第三実施形態の動作を示すフローチャートである。
【符号の説明】
【００４６】
１    携帯情報端末機器
１０    携帯情報端末機能部
１１    制御部
１２    メモリ部
１３    バッテリ部
１４    表示部
１５    操作部
１６    傾斜センサ
２０    非接触ＩＣカード機能部
２１    制御部
２２    アンテナ部
２    携帯情報端末機器
３０    携帯電話機能部
３１    制御部
３２    メモリ部
３３    バッテリ部
３４    表示部
３５    操作部
３６    傾斜センサ
３７    無線部
３８    音声処理部
４０    非接触ＩＣカード機能部
４１    制御部
４２    アンテナ部
１００    読取／書込装置
１０１    読取／書込部
２００    自動販売機
２０１    読取／書込部
【図１】
2007025957.tif 000003
【図２】
2007025957.tif 000004
【図３】
2007025957.tif 000005
【図４】
2007025957.tif 000006
【図５】
2007025957.tif 000007
【図６】
2007025957.tif 000008
【図７】
2007025957.tif 000009
【図８】
2007025957.tif 000010
【図９】
2007025957.tif 000011